(57)【要約】【課題】ＩＣカードを再利用しつつ、一時的利用者が快適にＩＣカードを利用することができることとする非接触式ＩＣカードの発行方法を提供する。【解決手段】非接触式ＩＣカードを、直接的に手で触れることができないように電磁遮蔽能力を有していないラッピング部材でラップしたラップトカード５０を、観光客等の一時的な利用者に対して発行する。この後、一時的な利用者が所定地域を離れる時に、ラップされた非接触式ＩＣカードに記憶された特定サービス利用のための残金等を利用者に返却するとともに、そのラップトカード５０を回収する。そして、回収したラップトカード５０内の非接触式ＩＣカード５１を再利用するため、非接触式ＩＣカードをラッピング部材から取り出した後、新たなラッピング部材で再ラップして、新たな利用者に対して発行する。【選択図】　図３
2004102758.tif 000002
【特許請求の範囲】
【請求項１】
所定地域に限定的な特定サービスの料金精算で一時的に利用される非接触式ＩＣカードの発行方法であって、
前記非接触式ＩＣカードに直接的に手で触れることができないように、前記非接触式ＩＣカードを実質的に電磁遮蔽能を有していないラッピング部材でラップする第１ラッピング工程と；
前記ラップされた非接触式ＩＣカードを利用者に発行する第１発行工程と；
前記ラップされた非接触式ＩＣカードに記憶された前記特定サービス利用のための残金を前記利用者に返却するとともに、前記ラップされた非接触式ＩＣカードを回収する回収工程と；
前記非接触式ＩＣカードを前記ラッピング部材から取り出し、前記非接触式ＩＣカードに直接的に手で触れることができないように、前記非接触式ＩＣカードを実質的に電磁遮蔽能を有していない新たなラッピング部材で再ラップする第２ラッピング工程と；
前記再ラップされた非接触式ＩＣカードを新たな利用者に発行する第２発行工程と；を含む非接触式ＩＣカードの発行方法。
【請求項２】
前記特定サービスは車両運行サービスである、ことを特徴とする請求項１に記載の非接触式ＩＣカードの発行方法。
【請求項３】
前記ラッピング部材は紙製である、ことを特徴とする請求項１又は２に記載の非接触式ＩＣカードの発行方法。
【請求項４】
前記ラッピング部材には、開封用のミシン目が形成されている、ことを特徴とする請求項３に記載の非接触式ＩＣカードの発行方法。
【請求項５】
前記第１発行工程及び前記第２発行工程の少なくとも一方では、前記所定地域の案内が印刷された冊子及びリーフレットのいずれかに貼付されたカード収納部材に収納された態様で、前記ラップされた非接触式ＩＣカードが配布される、ことを特徴とする請求項１〜４のいずれか一項に記載の非接触式ＩＣカードの発行方法。
【請求項６】
前記カード収納部材は透明部材である、ことを特徴とする請求項５に記載の非接触式ＩＣカードの発行方法。
【発明の詳細な説明】
【０００１】
【発明の属する技術分野】
本発明は、非接触式ＩＣカードの発行方法に係り、より詳しくは、所定地域に限定的な特定サービスの料金精算で一時的に利用される非接触式ＩＣカードの発行方法に関するものである。
【０００２】
【従来の技術】
近年、バス等の車両運行サービスにおける運賃精算用のＩＣカードの導入が進んでいる。かかるＩＣカードとしては、接触式ＩＣカードや非接触式ＩＣカードがあるが、精算操作の便宜の観点から、非接触式ＩＣカードが主流となりつつある。
【０００３】
こうしたＩＣカードは、利用者が、必要に応じてリチャージをしたり、定期券情報を定期券期間の経過ごとに書き換えたりすることを前提としている。ここで、利用者は、通常、バス等の運行路線の沿線に生活の根拠を有する者である。このため、一度発行されたＩＣカードは、上記のリチャージや書き換えが繰り返されて、同一人により長期間にわたって使用されることになる。
【０００４】
そして、長期間にわたる使用中にＩＣカードが汚れても、自身の使用が原因であることから、その汚れに対して、利用者が生理的嫌悪感をもよおすことはないと考えられる。この結果、一度発行されたＩＣカードが、破損等して使用不能にならない限り、同一の利用者に対しては原則として再発行をすることはなかった。
【０００５】
【発明が解決しようとする課題】
上述したように、従来のＩＣカードの発行方法では、同一人がＩＣカードの寿命に相当するような長期間にわたって同一のＩＣカードを使用すること前提としている。しかし、例えば、観光地におけるバス等の運行システムに運賃精算用のＩＣカードを導入した場合には、観光客というそのバス等の運行経路付近には短期間しか滞在しない者に対しても、ＩＣカードを発行することが必要となる。
【０００６】
こうした場合に、観光客ごとに新たなＩＣカードを有料で発行することにすると、観光客の経済的負担が小なりといえども増大する。一方、観光業者が観光客ごとに新たなＩＣカードを無料で発行し配布することにすると、観光業者の経済的な負担が非常に大きくなる。また、いずれの場合にも、その観光地から離れた観光客であった者が保有するＩＣカードは再び利用される可能性が小さく、使用されないＩＣカードが増大することになる。
【０００７】
かかる事態を回避すべく、観光客が使用したＩＣカードを回収し、回収したＩＣカードを新たな観光客に対して発行し、再利用することが考えられる。しかし、汚れていたときは勿論のこと、例え汚れていなくとも他人が触れたＩＣカードを使用することに対して、新たな観光客が抵抗を感じたり、嫌悪感をもようしたりすることが懸念される。
【０００８】
本発明は、かかる事情を鑑みてなされたものであり、ＩＣカードを再利用しつつ、一時的利用者が快適にＩＣカードを利用することができることとする非接触式ＩＣカードの発行方法を提供することを目的とする。
【０００９】
【課題を解決するための手段】
本発明の非接触式ＩＣカードの発行方法は、所定地域に限定的な特定サービスの料金精算で一時的に利用される非接触式ＩＣカードの発行方法であって、前記非接触式ＩＣカードに直接的に手で触れることができないように、前記非接触式ＩＣカードを実質的に電磁遮蔽能を有していないラッピング部材でラップする第１ラッピング工程と；前記ラップされた非接触式ＩＣカードを利用者に発行する第１発行工程と；前記ラップされた非接触式ＩＣカードに記憶された前記特定サービス利用のための残金を前記利用者に返却するとともに、前記ラップされた非接触式ＩＣカードを回収する回収工程と；前記非接触式ＩＣカードを前記ラッピング部材から取り出し、前記非接触式ＩＣカードに直接的に手で触れることができないように、前記非接触式ＩＣカードを実質的に電磁遮蔽能を有していない新たなラッピング部材で再ラップする第２ラッピング工程と；前記再ラップされた非接触式ＩＣカードを新たな利用者に発行する第２発行工程と；を含む非接触式ＩＣカードの発行方法である。
【００１０】
この非接触式ＩＣカードの発行方法では、第１ラッピング工程において、非接触式ＩＣカードを、直接的に手で触れることができないように電磁遮蔽能を有していないラッピング部材でラップした後、第１発行工程において、ラップされた非接触式ＩＣカードを観光客等の一時的な利用者に対して発行する。ここで、発行時に所定の利用可能金額を記憶させておいてもよいし、また、発行後に利用者が所望の利用可能金額をチャージするようにしてもよい。
【００１１】
そして、一時的な利用者が所定地域を離れる時に、回収工程において、ラップされた非接触式ＩＣカードに記憶された特定サービス利用のための残金が利用者に返却されるとともに、そのラップされた非接触式ＩＣカードが回収される。ここで、非接触式ＩＣカードの発行に際して、利用者からデポジット代金を徴収していた場合には、デポジット代金が併せて返却される。
【００１２】
次に、回収した非接触式ＩＣカードの再利用のために、第２ラッピング工程において、非接触式ＩＣカードをラッピング部材から取り出した後、上述した第１ラッピング工程と同様にして、非接触式ＩＣカードに直接的に手で触れることができないように、非接触式ＩＣカードを実質的に電磁遮蔽能を有していない新たなラッピング部材で再ラップする。そして、第２発行工程において、再ラップされた非接触式ＩＣカードを新たな利用者に対して発行する。この結果、先の利用者の使用による汚れ等が完全に除去された態様で、再ラップされた非接触式ＩＣカードが新たな利用者に提供される。
【００１３】
したがって、本発明の非接触式ＩＣカードの発行方法によれば、非接触式ＩＣカードを再利用しつつ、一時的な利用者が快適に非接触式ＩＣカードを利用することができる。
【００１４】
本発明の非接触式ＩＣカードの発行方法では、前記特定サービスを車両運行サービスとすることができる。
【００１５】
また、本発明の非接触式ＩＣカードの発行方法では、前記ラッピング部材を紙製とすることができる。かかる場合には、紙製のラッピング部材の外側の面に、使用方法や広告等という所望の表示を印刷により表示することができる。
【００１６】
ここで、前記ラッピング部材に、開封用のミシン目を形成することができる。かかる場合には、紙製のラッピング部材をミシン目に沿って破ることにより、上述した第２ラッピング工程における、ラッピング部材からの非接触式ＩＣカードの取り出しを容易に行うことができる。
【００１７】
また、本発明の非接触式ＩＣカードの発行方法では、前記第１発行工程及び前記第２発行工程の少なくも一方において、前記所定地域の案内が印刷された冊子及びリーフレットのいずれかに貼付されたカード収納部材に収納された態様で、前記ラップされた非接触式ＩＣカードを配布することができる。
【００１８】
ここで、前記カード収納部材を透明部材とすることができる。かかる場合には、カード収納部材の表面に冊子又はリーフレットにおけるカード収納部材の貼付領域と同様の印刷をせずに、冊子又はリーフレットにおけるカード収納部材の貼付領域の印刷内容で伝達したい情報を、利用者に伝達することができる。
【００１９】
【発明の実施の形態】
以下、本発明の一実施形態として、図１に示されるような、バス１０の運行経路ＲＴに沿って観光スポット２０１，２０２，…が点在するとともに、ホテル等の宿泊施設３１１，３１２，…がある宿泊地域３０が存在するような観光地において、バス運行サービスの乗車料金精算に使用される非接触式ＩＣカード５１の発行方法について説明する。
【００２０】
本実施形態のバス運行サービスにおいて運行されるバス１０には、非接触式ＩＣカードのリーダライタを含む乗車料金処理装置１１が装備されている。そして、非接触式ＩＣカード５１そのままであっても、実質的に電磁遮蔽能を有していないラッピング部材５２でラップされた非接触式ＩＣカード５１であっても、乗車料金精算に使用可能となっている。なお、以下の説明においては、ラッピング部材５２でラップされた非接触式ＩＣカード５１をラップトカード５０と呼ぶものとする。
【００２１】
ラッピング部材５２は、図２（Ａ）に示されるように、非接触式ＩＣカード５１よりもやや大きめ封筒状の紙製袋であり、開封用のミシン目５３が設けられているとともに、外側面にラップトカード５０の使用方法や広告等（図示せず）が印刷されている。また、ラッピング部材５２には、封止用ののりしろ部５４に両面貼り付けテープ５５が貼り付けられている。このラッピング部材５２への非接触式ＩＣカード５１の収納は、図２（Ｂ）に示されるように、ラッピング部材５２の中空部に非接触式ＩＣカード５１を挿入した後、のりしろ部５４を折り曲げて封止することにより行われるようになっている。なお、ラッピング部材５２は、和紙製であってもよいし、洋紙製であってもよい。
【００２２】
図１に戻り、宿泊地域３０には、バス運行業者が運営するバス案内所３５が設けられている。このバス案内所３５には、利用者が、必要に応じて、非接触式ＩＣカード５１にリチャージするためのリーダライタ装置１５が設置されるとともに、職員が非接触式ＩＣカード５１記憶された情報を読み出したり、非接触式ＩＣカード５１に情報を書き込んだりするためのリーダライタ装置１６が設置されている。
【００２３】
次に、本実施形態における非接触式ＩＣカードの発行について説明する。なお、前提として、図１に示されるように、バス案内所３５には、バス運行業者により用意され、リーダライタ装置１６により所定の利用可能金額がチャージされたラップトカード５０が相当数配備されているものとする。
【００２４】
まず、利用者（観光客）が鉄道等を利用して宿泊地域３０に到着後、図３（Ａ）に示されるように、バス案内所３５において、利用者に対してラップトカード５０すなわち非接触式ＩＣカード５１が発行される。かかる発行に際して、本実施形態では、上記の所定の利用可能金額に非接触式ＩＣカード５１のデポジット代金を加えた金額を利用者から徴収することとしている。
【００２５】
この後、利用者が、必要に応じてラップトカード５０の非接触式ＩＣカード５１をリーダライタ装置１５によりリチャージしながら、バス１０を利用して、観光スポット２０１，２０２，…を巡る観光を行う。そして、観光が終了し観光地を去る際に、図３（Ｂ）に示されるように、利用者は、バス案内所３５において、ラップトカード５０を返却する。この返却にあたり、バス案内所３５では、返却されたラップトカード５０の非接触式ＩＣカード５１に記憶された利用可能金額の残金がリーダライタ装置１６により確認され、その残金と非接触式ＩＣカード５１のデポジット金額との合計金額を利用者に返却する。なお、ラップトカード５０のラッピング部材５２が破損していた場合には、残金のみが利用者に返却される。
【００２６】
次に、図３（Ｃ）に示されるように、返却されたラップトカード５０のラッピング部材５２が開封されて、非接触式ＩＣカード５１が取り出される。引き続き、図３（Ｄ）に示されるように、この非接触式ＩＣカード５１が新たなラッピング部材５２’によりラップされるとともに、リーダライタ装置１６により上記の所定の利用可能金額がチャージされ、新たなラップトカード５０’とされる。
【００２７】
そして、新たなラップトカード５０’が、配布用のラップトカードとして、バス案内所３５のカウンタ等にストックされる。この後、この新たなラップトカード５０’は、適宜、上述したラップトカード５０と同様にして、新たな利用者に配布される。
【００２８】
以上説明したように、本実施形態では、非接触式ＩＣカード５１を、直接的に手で触れることができないように電磁遮蔽能を有していないラッピング部材５２でラップした後、観光客等の一時的な利用者に対して発行する。この後、一時的な利用者が所定地域を離れる時に、ラップされた非接触式ＩＣカード５１に記憶された特定サービス利用のための残金等を利用者に返却するとともに、そのラップされた非接触式ＩＣカード５１を回収する。そして、回収した非接触式ＩＣカード５１の再利用のために、非接触式ＩＣカード５１をラッピング部材５２から取り出した後、新たなラッピング部材５２’で再ラップして、新たな利用者に対して発行する。したがって、非接触式ＩＣカード５１を再利用しつつ、一時的な利用者が快適に非接触式ＩＣカード５１を利用することができる。
【００２９】
また、ラッピング部材５２，５２’を紙製としたので、ラッピング部材５２，５２’の外側の面に、使用方法や広告等の所望の表示を印刷により容易に表示することができ、利用者の便宜に供したり、宣伝広告を望む者の利用に供することができる。
【００３０】
また、ラッピング部材５２，５２’に、開封用のミシン目を形成することとしたので、紙製のラッピング部材５２，５２’をミシン目に沿って破ることにより、ラッピング部材５２，５２’からの非接触式ＩＣカード５１の取り出しを容易に行うことができる。
【００３１】
なお、上記の実施形態では、ラップトカード５０の発行に際して、非接触式ＩＣカード５１のデポジット代金も徴収することとしたが、ラップトカード５０の利用促進のために非接触式ＩＣカード５１のデポジット代金を徴収しないこととすることもできる。
【００３２】
また、上記の実施形態では、ラップトカード５０の発行及び回収をバス案内所３５で行うこととしたが、観光案内所や宿泊施設、特に大規模な宿泊施設にて行うこともできる。
【００３３】
また、上記の実施形態では、ラッピング部材として紙製部材を用いたが、封止しやすく、かつ、開封しやすく、また、電磁シールド効果のないものであれば、採用することができる。例えば、ラッピング部材として、ポチエチレン、ポリプロピレン、塩化ビニール、又はこれらの混合物、エバール（登録商標）等の合成樹脂から成るシート状部材、綿、絹、麻等の織布、不織布及び編物から成る布帛等を採用してもよい。ここで、合成樹脂製シート部材を採用した場合には、ヒートシールによって封止することができる。また、布帛の場合には、封止部に熱圧着可能な接着剤を塗布すれば、合成樹脂製シート部材の場合と同様にヒートシールすることができる。
【００３４】
また、上記の実施形態では、ラッピング部材の開封用にミシン目を形成したが、ミシン目を省略し、はさみ等の器具を用いて開封を行うことにしてもよい。
【００３５】
また、上記の実施形態では、ラップトカード５０を単独で発行して利用者に配布することとしたが、図４に示されるように、観光案内、地域案内、地域商店の広告やクーポンが印刷された小冊子６１の裏面に貼付されたカード収納部材６２に収納された態様で、小冊子６１とともに配布し、ラップトカード５０のみを回収することとすることもできる。かかる場合には、カード収納部材６２の表面に小冊子６１におけるカード収納部材６２の貼付領域と同様の印刷をとするという二重投資を避ける観点から、カード収納部材６２を透明部材とすることが好ましい。なお、ラップトカード５０を小冊子６１に直接貼り付けることとすることもできる。また、小冊子６１に代えてリーフレットとすることもできる。
【００３６】
また、上記の実施形態では、観光地における非接触式ＩＣカードの発行を説明したが、一時的な利用者が多い地域であれば、観光地以外の地域、例えばアミューズメントパーク等においても、料金精算用の非接触式ＩＣカードの発行方法として本発明の非接触式ＩＣカードの発行方法を使用することができる。
【００３７】
また、上記の実施形態では、バス運行サービスで利用される非接触式ＩＣカードの発行を説明したが、他のサービスで利用される非接触式ＩＣカードについても、同様の非接触式ＩＣカードの発行方法を使用することができる。
【００３８】
【発明の効果】
以上において詳細に説明したように、本発明の非接触式ＩＣカードの発行方法によれば、ＩＣカードを再利用しつつ、一時的利用者が快適にＩＣカードを利用することができる
【図面の簡単な説明】
【図１】本発明の一実施形態に係る非接触式ＩＣカードの発行方法が使用される地域環境を示す図である。
【図２】図２（Ａ）及び図２（Ｂ）は、ラッピング部材による非接触式ＩＣカードのラッピングを説明するための図である。
【図３】図３（Ａ）〜図３（Ｄ）は、本発明の一実施形態に係る非接触式ＩＣカードの発行手順を説明するための図である。
【図４】変形例を説明するための図である。
【符号の説明】
５０，５０’…ラップトカード、５１…非接触式ＩＣカード、５２，５２’…ラッピング部材、５３…ミシン目、６１…小冊子（冊子）、６２…カード収納部材。
【図１】
2004102758.tif 000003
【図２】
2004102758.tif 000004
【図３】
2004102758.tif 000005
【図４】
2004102758.tif 000006